(57)【要約】      （修正有）【課題】材料の無駄を少なくし、地上の高位置に設置された場合、正確に発光部からの光を受光できる横長形状の面発光型表示器を提供する。【解決手段】文字・図形等のメッセージを表示する複数のＬＥＤ素子４が配列された横長形状の面発光型ディスプレイ部６、及び前記ＬＥＤ素子４の発光制御の制御部７が配置された前記面発光型表示器１において、ディスプレイ部６の左側及び右側には枠との間に、リモートコントローラから発する赤外線の受光部１０が配置される前面空白部１１を設け、前記受光部１０は前記ディスプレイ部６の発する赤外線から外れ且つ枠から外れた位置で前記前面空白部１１に前面に向けて配置された。【選択図】図１
2010128444.tif 000002
【特許請求の範囲】
【請求項１】
透光性前面板の周囲が上下左右辺からなる四辺形状の枠で囲まれ、前記透光性前面板の
裏側に、文字・図形等のメッセージを表示するための複数のＬＥＤ素子が配列された横長
形状の面発光型ディスプレイ部、及び前記ＬＥＤ素子の発光を制御する制御部が配置され
た面発光型表示器において、前記ディスプレイ部の左側及び右側には、前記枠との間に前
記制御部への指令信号としてリモートコントローラから発する赤外線の受光部が配置され
る前面空白部が形成され、前記受光部は、前記ディスプレイ部の発する赤外線から外れ且
つ前記枠から外れた位置において前記前面空白部に前面に向けて配置されたことを特徴と
する面発光型表示器。
【請求項２】
前記前面空白部には前記ディスプレイ部から離れた位置にアイキャッチ用ＬＥＤ素子が
縦方向に配列され、前記受光部は、前記ディスプレイ部及び前記アイキャッチ用ＬＥＤ素
子からの赤外線から外れた前記ディスプレイ部と前記アイキャッチ用ＬＥＤ素子との中間
位置に配置されたことを特徴とする請求項１に記載の面発光型表示器。
【発明の詳細な説明】
【技術分野】
【０００１】
本発明は、文字・図形等のメッセージを表示するための多数のＬＥＤ素子が配列される
ディスプレイ面を前面とした横長形状の面発光型表示器に関し、特に、前記ＬＥＤ素子の
発光を制御する制御部への指令信号をリモートコントローラの発光部から発する場合、こ
の指令信号を正確に受けることができる技術に関する。
【背景技術】
【０００２】
道路や建物・商店・競技場等の各種施設において、あるいは屋外や屋内において、文字
等の表示をもって広告や案内等を行なうために設置される面発光型ディスプレイとして、
文字・図形等のメッセージを表示するための多数のＬＥＤ素子（発光体）が配列されたデ
ィスプレイ面を前面とした面発光型表示器がある。（例えば特許文献１）。
【０００３】
この特許文献１のものは、外周を司る筐体２で囲まれた内側領域に、人目を引くための
アイキャッチラインが、文字・図形等のメッセージを表示するための多数のＬＥＤ素子（
発光体）が配列されたディスプレイ面を取り囲むように環状に配置されている。
【特許文献１】特開平１１−１６７３５９号公報
【発明の開示】
【発明が解決しようとする課題】
【０００４】
この種の面発光型表示器は、文字・図形等のメッセージを表示する場合、横方向にメッ
セージが移動する表示方式を採用する場合は、横長形状となる。また、通行人からディス
プレイ面がよく見えるようにするために、通行人の頭上位置またはそれよりも高い位置に
なるように設置することがある。この場合、操作性を考慮して、ＬＥＤ素子の発光を制御
する制御部への指令信号をリモートコントローラの発光部から発する光で行うように受光
部を設けた構成とする場合がある。しかし、上記のように地上の高い位置に設置された場
合でも、受光部が正確に発光部からの光を受光できるようにすることが重要である。
【０００５】
この種の横長形状の面発光型表示器は、横方向が２５００ｍｍ、縦方向が５００ｍｍの
ようにかなり大型とし、多数のＬＥＤ素子（発光体）を配列したディスプレイ面と、アイ
キャッチ用ＬＥＤ素子を設ける場合は、好ましい形態として、アイキャッチ用ＬＥＤ素子
がディスプレイ面の左側及びまたは右側に縦方向に配列される形態が採用される。
【０００６】
この場合、材料の無駄をなるだけ少なくするために、ディスプレイ面とアイキャッチ用
ＬＥＤ素子の周囲を取り囲む枠（特許文献１の筐体２に相当するもの）は、上下部分にお
いてディスプレイ面に近接し、この部分に余分な空白部を残すことのない構成となる。
【０００７】
本発明は、このように材料の無駄をなるだけ少なくする形態でもって、上記のように地
上の高い位置に設置された場合でも、正確に発光部からの光を受光できるようにすること
ができる横長形状の面発光型表示器を提供するものである。
【課題を解決するための手段】
【０００８】
第１発明の面発光型表示器は、透光性前面板の周囲が上下左右辺からなる四辺形状の枠
で囲まれ、前記透光性前面板の裏側に、文字・図形等のメッセージを表示するための複数
のＬＥＤ素子が配列された横長形状の面発光型ディスプレイ部、及び前記ＬＥＤ素子の発
光を制御する制御部が配置された面発光型表示器において、前記ディスプレイ部の左側及
び右側には、前記枠との間に前記制御部への指令信号としてリモートコントローラから発
する赤外線の受光部が配置される前面空白部が形成され、前記受光部は、前記ディスプレ
イ部の発する赤外線から外れ且つ前記枠から外れた位置において前記前面空白部に前面に
向けて配置されたことを特徴とする。
【０００９】
第２発明の面発光型表示器は、第１発明において、前記前面空白部には前記ディスプレ
イ部から離れた位置にアイキャッチ用ＬＥＤ素子が縦方向に配列され、前記受光部は、前
記ディスプレイ部及び前記アイキャッチ用ＬＥＤ素子からの赤外線から外れた前記ディス
プレイ部と前記アイキャッチ用ＬＥＤ素子との中間位置に配置されたことを特徴とする。
【発明の効果】
【００１０】
本発明は、ディスプレイ部の周囲を取り囲む枠は、上下部分においてディスプレイ部に
近接し、この部分に余分な空白部を残すことのない構成、即ち、材料の無駄をなるだけ少
なくする形態でもって、地上の高い位置に設置された場合でも、周囲の枠によってリモー
トコントローラから発する赤外線が遮断されることがなく、正確に受光できるようになる
。また、ディスプレイ部の左側及び右側にアイキャッチ用ＬＥＤ素子を配置することで、
受光部の視野角を広く設定しながら、ディスプレイ部及びアイキャッチ用ＬＥＤ素子から
の赤外線による誤動作もなく、リモートコントローラによる安定した制御ができるものと
なる。
【発明を実施するための最良の形態】
【００１１】
本発明の面発光型表示器は、透光性前面板の周囲が上下左右辺からなる四辺形状の枠で
囲まれ、前記透光性前面板の裏側に、文字・図形等のメッセージを表示するための複数の
ＬＥＤ素子が配列された横長形状の面発光型ディスプレイ部、及び前記ＬＥＤ素子の発光
を制御する制御部が配置された面発光型表示器において、前記ディスプレイ部の左側及び
右側には前記枠との間に、前記制御部への指令信号としてリモートコントローラから発す
る赤外線の受光部が配置される前面空白部が形成され、前記受光部は、前記ディスプレイ
部の発する赤外線から外れ且つ前記枠から外れた位置において前記前面空白部に前面に向
けて配置されたものであり、本発明の実施例を以下に記載する。
【実施例１】
【００１２】
本発明の実施形態について説明する。図１は本発明に係る面発光型表示器の正面図、図
２は本発明に係る面発光型表示器の上面図、図３は本発明に係る面発光型表示器の底面図
、図４は本発明に係る面発光型表示器の左側面図、図５は本発明に係る面発光型表示器の
右側面図、図６は本発明に係る面発光型表示器の背面図、図７は図１のＡ−Ａ断面の拡大
図、図８は図７の上部の拡大図である。
【００１３】
図において、１は本発明に係る面発光型表示器を示しており、面発光型表示器１は、透
光性前面板２の周囲が上下左右辺からなる四辺形状の枠３で囲まれている。そして、枠３
で囲まれた領域内には、透光性前面板２の裏側に、文字・図形等のメッセージを表示する
ための複数のＬＥＤ素子４がプリント配線基板５の前面に配列されて、横長形状の面発光
型ディスプレイ部６を形成している。更にまた、枠３で囲まれた領域内には、面発光型デ
ィスプレイ部６の裏側、即ちプリント配線基板５の裏側に、ＬＥＤ素子４の発光を制御す
る制御部７が支持板８に取り付けられた配置である。支持板８は、面発光型表示器１の基
板をなすものであり、その上下左右部分において、枠３とプリント配線基板５を支持する
ように螺子等で結合している。
【００１４】
図示した実施例の面発光型表示器１は、左右方向の横幅が約２５００ｍｍ、上下方向の
高さが約５８０ｍｍ、奥行き方向の厚さが約１００ｍｍの横長形状であり、正面視での枠
３の幅Ｈは約４０〜５０ｍｍである。プリント配線基板５は、１枚の横長形状のものでも
よいが、面発光型表示器１が実施例のように大きい前面の場合はコストアップとなるため
、複数のプリント配線基板で構成したものでもよい。例えば、同じ大きさのプリント配線
基板が上下に３枚配列されたものが、左右方向に複数列に配列された構成とすることがで
きる。
【００１５】
前面板２の前面周縁部に密着して前面板２の前面周縁部と枠３との隙間を塞ぐように、
枠３の上下左右辺の内面に亘って透明な防水フィルム９が貼られており、この防水フィル
ム９によって、面発光型表示器１の前面及び上下左右の周囲から内部に雨水が侵入しない
ようにしている。なお、面発光型表示器１を建物の壁等に取り付ける際には、面発光型表
示器１の裏面から雨水が侵入しないように、建物の壁等と枠３との間にシール材を介して
取り付ければよい。また、面発光型表示器１を支持台等によって頭上に掲げる場合は、必
要に応じて面発光型表示器１の裏面を覆う大きさの裏板を、シール材を介して枠３の上下
左右辺に取り付ければよい。
【００１６】
ディスプレイ部６のＬＥＤ素子４は、その上下部分において周囲を取り囲む枠３に近接
し、この上下部分に余分な空白部を残すことのない構成として、材料の無駄をなるだけ少
なくする形態である。また、ディスプレイ部６の左側及び右側には、ディスプレイ部６と
枠３との間に、制御部７への指令信号としてリモートコントローラ（図示せず）から発す
る赤外線の受光部１０が配置される前面空白部１１が形成されている。
【００１７】
図示の形態では、前面空白部１１には、ディスプレイ部６から離れ且つ枠３から離れた
位置に、枠３の右辺及び左辺に略平行に縦方向にアイキャッチ部１２を形成して、前面空
白部１１を有効利用している。アイキャッチ部１２は、衆目を集めるためのものであり、
ディスプレイ部６よりも強い光を発するように、複数のアイキャッチ用ＬＥＤ素子１３が
縦方向に配列された構成である。ディスプレイ部６のＬＥＤ素子４とアイキャッチ用ＬＥ
Ｄ素子１３は、その上下部分において周囲を取り囲む枠３に近接し、この上下部分に余分
な空白部を残すことのない構成として、材料の無駄をなるだけ少なくする形態である。
【００１８】
なお、受光部１０の下方部の前面空白部１１には、面発光型表示器１の周囲の照度を検
知する照度センサ１４が前面に向けて配置されている。この照度センサ１４の検知に基づ
き制御部７は、周囲が明るい昼間ではＬＥＤ素子４の輝度を上げ、夕方や夜間等のように
周囲の照度が低下した状況ではＬＥＤ素子４の輝度を下げるように制御する。
【００１９】
制御部７は、所定の動作プログラムを所有しており、リモートコントローラ（図示せず
）から発する赤外線による指令信号によって、この動作プログラムに従って、ディスプレ
イ部６のＬＥＤ素子４により所定の文字・図形等のメッセージを表示するための発光制御
を行うものである。また、照度センサ１４の検出に基づき、上記のようにＬＥＤ素子４の
輝度制御を行う。更に、アイキャッチ用ＬＥＤ素子１３を所定の発光パターンで間歇発光
させる制御も行う。
【００２０】
受光部１０は、リモートコントローラの発光部から発せられる赤外線を受けて、制御部
７がその指令に基づく動作をするためのものであり、ディスプレイ部６のＬＥＤ素子４ま
たはアイキャッチ用ＬＥＤ素子１３から発せられる赤外線を受けることによって、制御部
７が動作することは好ましくない。また、面発光型表示器１が頭上高い位置に設置された
ときにも、枠３によってリモートコントローラの発光部から発せられる赤外線が遮断され
る状況も好ましくない。
【００２１】
そのために、前面空白部１１に受光部１０を配置するがアイキャッチ部１２を設けない
形態では、ディスプレイ部６のＬＥＤ素子４から発せられる赤外線から外れ、且つ枠３か
ら外れた位置に、受光部１０が前面に向けて配置される。
【００２２】
また、図示のように、前面空白部１１には、ディスプレイ部６から離れ枠３の右辺に沿
って縦方向にアイキャッチ部１２が配列された形態では、前面空白部１１に配置される受
光部１０は、ディスプレイ部６とアイキャッチ用ＬＥＤ素子１３との中間位置であって、
ディスプレイ部６及びアイキャッチ部１２の発する赤外線から外れ、且つ枠３から外れた
位置に配置された構成である。図示のものは、ディスプレイ部６の右端及び左端の縦列の
ＬＥＤ素子４とアイキャッチ部１２の左端及び右端の縦列のアイキャッチ用ＬＥＤ素子１
３との間の略中央位置で、前面空白部１１の上部にやや斜め下前方に向けて受光部１０が
配置されている。
【００２３】
このような構成によって、面発光型表示器１が頭上高い位置に設置されたときも、ディ
スプレイ部６のＬＥＤ素子４やアイキャッチ用ＬＥＤ素子１３の赤外線によって制御部７
は作動せず、また、地上に立つ人が操作するリモートコントローラから発する赤外線が枠
３によって遮断されることなく、受光部１０は地上に立つ人が操作するリモートコントロ
ーラから発する赤外線を、表示器１前面の広い範囲に渡って的確に受光し、制御部７は正
規の動作をすることができるものとなる。
【００２４】
又、受光部１０を表示器１の左右に配置したことで、表示器１前面の広い範囲に渡って
リモートコントローラから発する赤外線を受光することができ、表示器がその右側又は左
側に障害物が位置する場所に設置されても、リモートコントローラの操作に影響を及ぼす
ことなく、リモートコントローラから発する赤外線を確実に受光することができるもので
ある。
【００２５】
なお、受光部１０は、前面空白部１１の下部において、ディスプレイ部６とアイキャッ
チ用ＬＥＤ素子１３との中間位置であって、ディスプレイ部６及びアイキャッチ部１２の
発する赤外線から外れ、且つ枠３から外れた位置に配置された構成でも差し支えない。ま
た、制御部７の点検確認等のために、制御部７に近い枠３（図示のものは右辺の枠３）に
は、防水構造の蓋で開閉される点検窓部１５が設けられている。
【産業上の利用可能性】
【００２６】
本発明は、上記実施例に示した構成に限定されず、上記の基本形態を維持しつつ各種の
構成を含む面発光型表示器とすることができるものであり、本発明の技術範囲内において
種々の形態を包含するものである。
【図面の簡単な説明】
【００２７】
【図１】本発明に係る横長形状の面発光型表示器の正面図である。
【図２】本発明に係る横長形状の面発光型表示器の上面図である。
【図３】本発明に係る横長形状の面発光型表示器の底面図である。
【図４】本発明に係る横長形状の面発光型表示器の左側面図である。
【図５】本発明に係る横長形状の面発光型表示器の右側面図である。
【図６】本発明に係る横長形状の面発光型表示器の背面図である。
【図７】図１のＡ−Ａ断面の拡大図である。
【図８】図７の上部の拡大図である。
【符号の説明】
【００２８】
１・・・・・面発光型表示器
２・・・・・透光性前面板
３・・・・・枠
４・・・・・ディスプレイ部のＬＥＤ素子
５・・・・・プリント配線基板
６・・・・・ディスプレイ部
７・・・・・制御部
８・・・・・支持板
９・・・・・防水フィルム
１０・・・・受光部
１１・・・・前面空白部
１２・・・・アイキャッチ部
１３・・・・アイキャッチ用ＬＥＤ素子
１４・・・・照度センサ
【図１】
2010128444.tif 000003
【図２】
2010128444.tif 000004
【図３】
2010128444.tif 000005
【図４】
2010128444.tif 000006
【図５】
2010128444.tif 000007
【図６】
2010128444.tif 000008
【図７】
2010128444.tif 000009
【図８】
2010128444.tif 000010